(57)【要約】【課題】パネルに多様な材料が採用可能であり、取り付けられたパネルが変形、移動して情報表示面部に表示された情報が見づらくなることや、外力によってパネルが離脱してしまうのを抑制すること。【解決手段】情報を表示する電子表示面３１を有する装置本体３２と、装置本体３２に設けられ、情報表示面部１１を備えたパネル１０を着脱自在に保持するパネル保持手段３３と、を備え、パネル保持手段３３は、情報表示面部１１と同一面状に形成された被保持部が挿入されるスロット部を備え、スロット部は、電子表示面の径方向に開口しつつ周方向に延設され、径方向から見て同一直線から外れた部分を有している情報表示装置３０を提供する。【選択図】図１
2011048288.tif 000002
【特許請求の範囲】
【請求項１】
情報を表示する電子表示面を有する装置本体と、
前記装置本体に設けられ、情報表示面部を備えたパネルを着脱自在に保持するパネル保持手段と、を備える情報表示装置であって、
前記パネル保持手段は、前記情報表示面部と同一面状に形成された被保持部が挿入されるスロット部を備え、
前記スロット部は、前記電子表示面の径方向に開口しつつ周方向に延設され、前記径方向から見て同一直線から外れた部分を有していることを特徴とする情報表示装置。
【請求項２】
請求項１記載の情報表示装置であって、
前記パネル保持手段は、前記装置本体の外面に突設されるとともに前記周方向に互いに間隔をあけて配設された複数の保持部材を備え、
前記スロット部は、前記周方向に分割形成されるとともに前記複数の保持部材に各別に形成された複数のスロット分割部で構成され、
前記各スロット分割部は、隣接する前記スロット分割部側が開口していることを特徴とする情報表示装置。
【請求項３】
請求項１記載の情報表示装置であって、
前記スロット部は、前記周方向に連続形成され一連となっていることを特徴とする情報表示装置。
【請求項４】
請求項１から３のいずれか１項に記載の情報表示装置であって、
前記スロット部は、前記径方向の外側の開口幅が内側の開口幅よりも大きくなっていることを特徴とする情報表示装置。
【請求項５】
情報を表示する電子表示面を有する装置本体と、
前記装置本体に設けられ、情報表示面部を備えたパネルを着脱自在に保持するパネル保持手段と、を備える情報表示装置であって、
前記パネル保持手段は、前記装置本体の外面から前記電子表示面の径方向に立設され、前記電子表示面の周方向に離間配置された少なくとも３つの保持柱部を備えていることを特徴とする情報表示装置。
【請求項６】
情報表示装置へのパネルの取付け方法であって、
前記パネルは、情報表示面部と、前記情報表示面部と同一面状に形成された被保持部と、を備え、
前記情報表示装置は、情報を表示する電子表示面を有する装置本体と、前記装置本体に設けられ、前記パネルを着脱自在に保持するパネル保持手段と、を備え、
前記パネル保持手段は、前記被保持部が挿入されるスロット部を備え、
前記スロット部は、前記電子表示面の径方向に開口しつつ周方向に延設され、
前記スロット部の前記周方向の長さは、前記被保持部の前記周方向の長さより短く形成され、
前記スロット部に前記被保持部を挿入することにより、前記情報表示装置に前記パネルを取り付けることを特徴とする情報表示装置へのパネルの取付け方法。
【請求項７】
情報表示装置へのパネルの取付け方法であって、
前記パネルは、情報表示面部と、前記情報表示面部と同一面状に形成された被保持部と、を備え、
前記情報表示装置は、情報を表示する電子表示面を有する装置本体と、前記装置本体に設けられ、前記パネルを着脱自在に保持するパネル保持手段と、を備え、
前記パネル保持手段は、前記被保持部が挿入されるスロット部を備え、
前記スロット部は、前記電子表示面の径方向に開口しつつ周方向に延設され、
前記被保持部は、前記情報表示面部と連結された主面部と、前記主面部との連結部分で折り返されることで前記主面部に折り重ねられた折重ね部と、を備え、
前記折重ね部には、前記被保持部が前記スロット部に挿入されたときに、前記スロット部の周縁部に前記径方向に係合する係合部が形成され、
前記スロット部に前記被保持部を挿入することにより、前記情報表示装置に前記パネルを取り付けることを特徴とする情報表示装置へのパネルの取付け方法。
【請求項８】
請求項７記載の情報表示装置へのパネルの取付け方法であって、
前記折重ね部は、前記連結部分で前記周方向に折り返され、
前記折重ね部の先端には、前記周方向に延びる切り込み部が形成され、
前記係合部は、前記切り込み部の周縁部のうちの前記径方向の外側を向く部分であることを特徴とする情報表示装置へのパネルの取付け方法。
【発明の詳細な説明】
【技術分野】
【０００１】
本発明は、例えば小売販売店等で商品の値段や文字情報などを表示する情報表示装置および情報表示装置へのパネルの取付け方法に関する。
【背景技術】
【０００２】
近年、スーパーマーケット等の小売販売店では、商品価格を表示させた情報表示装置を商品陳列棚に取り付けて集中管理している。例えば日毎、週毎などで変わる商品の値段表示を、その対象商品の情報表示装置に信号を送信することで容易にかつ効率的に変更することができるようになっている。
この種の情報表示装置として、とくにサービス商品などを顧客に対して目立たせるために、例えば、下記特許文献１に示されるような、文字や数字を表示させたパネルが着脱可能に取り付けられているものが知られている。
【０００３】
下記特許文献１記載のパネル（カードホルダ）は、カードの表示面を前方に向けて保持する情報表示面部（カード保持部）と、情報表示面部に対して後方に突出するように設けられた被保持部（取り付け片）とを備えている。被保持部は、情報表示面部から後方に向けて屈曲されることで形成されており、被保持部と情報表示面部との連結部分は屈曲されている。
また、被保持部がほぼ中央部で前方に折り返されることにより互いに重なり合う第１取り付け部および第２取り付け部が形成され、第１取り付け部および第２取り付け部のうち一方の取り付け部に孔部が設けられている。
【０００４】
また、下記特許文献１記載の情報表示装置（表示本体部）は、パネルの第１取り付け部および第２取り付け部が挿入される挿入部を有し、挿入部内にパネルの孔部に係合する突起部が設けられている。さらに、情報表示装置は、情報を表示する電子表示面を備え、挿入部は、電子表示面に交差する方向に開口された差込口となっている。
そして、差込口にパネルの被保持部が挿入されることで、差込口内の突起部に被保持部の孔部が係合され、情報表示面部を電子表示面と略平行とした状態でパネルが情報表示装置に取り付けられるようになっている。
【０００５】
このような下記特許文献１記載の情報表示装置およびパネルによれば、突起部に孔部が係合されているので、例えば情報表示装置が取り付けられた棚内に手を入れる際や、棚内から手を抜き出す際などに、電子表示面に交差する方向から情報表示面部に外力が加えられたとしても、差込口から被保持部が外れてパネルが情報表示装置から離脱してしまうのを抑制することができると考えられる。
【先行技術文献】
【特許文献】
【０００６】
【特許文献１】特許第４１１１７５７号公報
【発明の概要】
【発明が解決しようとする課題】
【０００７】
しかしながら、前記従来の情報表示装置では、以下に示す問題があった。
まず、被保持部と情報表示面部との連結部分が屈曲されていることから、この連結部分の屈曲の程度が経時変化しパネルが変形することで、情報表示面部が電子表示面と略平行な状態から大きく傾いてしまうという問題があった。なお、このように情報表示面部が大きく傾いた場合には、情報表示面部に表示された情報が見づらくなるという問題がある。
【０００８】
さらに、前記連結部分の屈曲の程度を同一状態で長期間維持してパネルの変形を抑制するためには、屈曲された形状を維持可能な材料（例えばプラスチック製シートなど）でパネルを形成する必要があり、パネルに採用可能な材料が限られてしまうという問題があった。
【０００９】
また、電子表示面に交差する方向から情報表示面部に外力が加えられたときにパネルが情報表示装置から離脱するのを抑制するためには、前記孔部を被保持部に高精度に形成しなくてはならず、パネルの加工が困難であるという問題がある。
さらに、このようにパネルが情報表示装置から離脱するのを抑制したとしても、電子表示面に交差する方向から情報表示面部に外力が加えられたときに、差込口内で突起部を中心に被保持部が回動し、パネルが情報表示装置に対して相対的に移動してしまうという問題がある。なお、このように被保持部が回動した場合には、情報表示面部の向きが変わり、情報表示面部に表示された情報が見づらくなるという問題がある。
【００１０】
本発明は、前述した事情に鑑みてなされたものであって、その目的は、パネルに多様な材料が採用可能であり、取り付けられたパネルが変形、移動して情報表示面部に表示された情報が見づらくなることや、外力によってパネルが離脱してしまうのを抑制することができる情報表示装置を提供することである。
【課題を解決するための手段】
【００１１】
前記課題を解決するために、本発明は以下の手段を提案している。
本発明に係る情報表示装置は、情報を表示する電子表示面を有する装置本体と、前記装置本体に設けられ、情報表示面部を備えたパネルを着脱自在に保持するパネル保持手段と、を備える情報表示装置であって、前記パネル保持手段は、前記情報表示面部と同一面状に形成された被保持部が挿入されるスロット部を備え、前記スロット部は、前記電子表示面の径方向に開口しつつ周方向に延設され、前記径方向から見て同一直線から外れた部分を有していることを特徴とする。
【００１２】
ここで、電子表示面の径方向とは、電子表示面の中心から電子表示面に沿って放射状に延びる方向を意味し、電子表示面の周方向とは、電子表示面の輪郭に沿う方向を意味する。
この発明によれば、スロット部が、径方向に開口しつつ周方向に延設されているので、情報表示面部と被保持部との連結部分を屈曲させることなく、スロット部に径方向の外側から被保持部を挿入することで、情報表示面部を電子表示面と略平行とした状態でパネル保持手段によってパネルを保持することができる。
しかも、スロット部が、径方向から見て同一直線から外れた部分を有しているので、スロット部に被保持部を挿入することで、情報表示面部が径方向から見て湾曲形状をなすこととなり、情報表示面部において湾曲した部分を径方向に延びるリブとして作用させることができる。
【００１３】
以上より、情報表示面部と被保持部との連結部分を屈曲させず、かつ情報表示面部を湾曲させることでリブ効果を奏功させた状態で、パネル保持手段によってパネルを保持することが可能になり、当該情報表示装置に取り付けられるパネルが変形するのを抑制することができる。
しかも、情報表示面部と被保持部との連結部分を屈曲させる必要がないので、パネルの材料として、屈曲された形状を維持可能な材料だけでなく、例えば紙など多様な材料を採用することができる。
【００１４】
また、スロット部が、径方向に開口しつつ周方向に延設されているので、電子表示面に交差する方向から情報表示面部に加えられる外力を起因として、スロット部に挿入された被保持部が、スロット部内でぐらついてしまったり、スロット部から外れてしまったりするのを抑制することができる。したがって、取り付けられたパネルが当該情報表示装置に対して相対的に移動してしまったり、当該情報表示装置から離脱してしまったりするのを抑制することができる。
【００１５】
また、被保持部がスロット部から外れてしまうのが抑制されることから、前記従来の情報表示装置のように、パネルに孔部を形成した上で、孔部を突起部に係合させるといった必要がない。これにより、前述のように多様な材料を採用できることと相俟ってパネルを容易に加工することができるとともに、パネルを当該情報表示装置に容易に取り付けることができる。
【００１６】
また、前記パネル保持手段は、前記装置本体の外面に突設されるとともに前記周方向に互いに間隔をあけて配設された複数の保持部材を備え、前記スロット部は、前記周方向に分割形成されるとともに前記複数の保持部材に各別に形成された複数のスロット分割部で構成され、前記各スロット分割部は、隣接する前記スロット分割部側が開口していても良い。
【００１７】
この場合、各スロット分割部において、隣接するスロット分割部側が開口しているので、被保持部を複数に分割形成せずにスロット部に挿入することが可能になり、パネルの加工をより容易に行うことができる。
すなわち、例えば各スロット分割部において、隣接するスロット分割部側が開口していない場合には、被保持部を分割形成して複数設ける必要があるため、パネルの加工に手間がかかる。しかしながら、各スロット分割部において、隣接するスロット分割部側が開口しているので、連続形成した一連の被保持部を、各スロット分割部、および隣接する保持部材間の隙間に挿入することができる。したがって、パネルの加工をより容易に行うことができる。
【００１８】
また、前記スロット部は、前記周方向に連続形成され一連となっていても良い。
【００１９】
この場合、スロット部が、周方向に連続形成され一連となっているので、被保持部を複数に分割形成せずにスロット部に挿入することが可能になり、パネルの加工をより容易に行うことができる。
すなわち、例えばスロット部が、周方向に分割形成された複数のスロット分割部で構成されている場合には、被保持部を分割形成して複数設ける必要があるため、パネルの加工に手間がかかる。しかしながら、スロット部が、周方向に連続形成され一連となっているので、一連の被保持部を連続形成すればよく、パネルの加工をより容易に行うことができる。
【００２０】
また、前記スロット部は、前記径方向の外側の開口幅が内側の開口幅よりも大きくなっていても良い。
【００２１】
この場合、スロット部において、径方向の外側の開口幅が内側の開口幅よりも大きくなっているので、スロット部に径方向の外側から被保持部を容易に挿入することが可能になり、パネルを当該情報表示装置により容易に取り付けることができる。
つまり、例えばスロット部の開口幅が径方向の位置によらず一定の場合には、スロット部の開口幅を全長にわたって、スロット部に被保持部が挿入されたときに情報表示面部が所望の湾曲形状をなす程度小さく設定する必要がある。そのため、スロット部の径方向の外側において、開口幅を小さくせざるを得ないことから、被保持部を挿入しにくくなる恐れがある。しかしながら、スロット部において、径方向の外側の開口幅を内側の開口幅よりも大きくすることで、径方向の内側の開口幅を、スロット部に被保持部が挿入されたときに情報表示面部が所望の湾曲形状をなす程度小さく設定すれば、径方向の外側の開口幅を、被保持部を挿入し易い程度大きく設定することができる。
【００２２】
また、本発明に係る情報表示装置は、情報を表示する電子表示面を有する装置本体と、前記装置本体に設けられ、情報表示面部を備えたパネルを着脱自在に保持するパネル保持手段と、を備える情報表示装置であって、前記パネル保持手段は、前記装置本体の外面から前記電子表示面の径方向に立設され、前記電子表示面の周方向に離間配置された少なくとも３つの保持柱部を備えていることを特徴とする。
【００２３】
この発明によれば、保持柱部が、径方向に立設されているので、情報表示面部とこの情報表示面部と同一面状に形成された被保持部との連結部分を屈曲させることなく、隣接する保持柱部間の隙間に径方向の外側から被保持部を挿入することで、情報表示面部を電子表示面と略平行とした状態でパネル保持手段によってパネルを保持することができる。
しかも、保持柱部が少なくとも３つ備えられているので、保持柱部間の隙間に被保持部を挿入する際、隣接する保持柱部において、保持柱部に対する被保持部の位置が電子表示面に交差する方向で互い違いになるようにパネルを湾曲させながら挿入することで、情報表示面部が径方向から見て湾曲形状をなすこととなり、情報表示面部において湾曲した部分を径方向に延びるリブとして作用させることができる。
【００２４】
以上より、情報表示面部と被保持部との連結部分を屈曲させず、かつ情報表示面部を湾曲させることでリブ効果を奏功させた状態で、パネル保持手段によってパネルを保持することが可能になり、当該情報表示装置に取り付けられるパネルが変形するのを抑制することができる。
しかも、情報表示面部と被保持部との連結部分を屈曲させる必要がないので、パネルの材料として、屈曲された形状を維持可能な材料だけでなく、例えば紙など多様な材料を採用することができる。
【００２５】
また、隣接する保持柱部において、保持柱部に対する被保持部の位置が電子表示面に交差する方向で互い違いになるようにパネルを湾曲させながら挿入することで、被保持部を保持柱部に電子表示面に交差する方向に係止させることができる。これにより、電子表示面に交差する方向から加えられる外力を起因として、パネルが当該情報表示装置から離脱してしまうのを抑制することができる。したがって、取り付けられたパネルが当該情報表示装置に対して相対的に移動してしまったり、当該情報表示装置から離脱してしまったりするのを抑制することができる。
【００２６】
また、被保持部が情報表示装置から外れてしまうのが抑制されることから、前記従来の情報表示装置のように、パネルに孔部を形成した上で、孔部を突起部に係合させるといった必要がない。これにより、前述のように多様な材料を採用できることと相俟ってパネルを容易に加工することができるとともに、パネルを当該情報表示装置に容易に取り付けることができる。
【００２７】
また、本発明に係る情報表示装置へのパネルの取付け方法は、前記パネルは、情報表示面部と、前記情報表示面部と同一面状に形成された被保持部と、を備え、前記情報表示装置は、情報を表示する電子表示面を有する装置本体と、前記装置本体に設けられ、前記パネルを着脱自在に保持するパネル保持手段と、を備え、前記パネル保持手段は、前記被保持部が挿入されるスロット部を備え、前記スロット部は、前記電子表示面の径方向に開口しつつ周方向に延設され、前記スロット部の前記周方向の長さは、前記被保持部の前記周方向の長さより短く形成され、前記スロット部に前記被保持部を挿入することにより、前記情報表示装置に前記パネルを取り付けることを特徴とする。
【００２８】
この発明によれば、スロット部に径方向の外側から被保持部を挿入することで、情報表示面部と被保持部との連結部分を屈曲させることなく、情報表示面部を電子表示面と略平行とした状態でパネル保持手段によってパネルを保持することができる。
しかも、スロット部の周方向の長さが、被保持部の周方向の長さよりも短くなっているので、スロット部に被保持部を挿入することで、情報表示面部が径方向から見て湾曲形状をなすこととなり、情報表示面部において湾曲した部分を径方向に延びるリブとして作用させることができる。
【００２９】
以上より、情報表示面部と被保持部との連結部分を屈曲させず、かつ情報表示面部を湾曲させることでリブ効果を奏功させた状態で、パネル保持手段によってパネルを保持することが可能になり、情報表示装置に取り付けられるパネルが変形するのを抑制することができる。
しかも、情報表示面部と被保持部との連結部分を屈曲させる必要がないので、パネルの材料として、屈曲された形状を維持可能な材料だけでなく、例えば紙など多様な材料を採用することができる。
【００３０】
また、スロット部が、径方向に開口しつつ周方向に延設されているので、電子表示面に交差する方向から情報表示面部に加えられる外力を起因として、スロット部に挿入された被保持部が、スロット部内でぐらついてしまったり、スロット部から外れてしまったりするのを抑制することができる。したがって、取り付けられたパネルが情報表示装置に対して相対的に移動してしまったり、情報表示装置から離脱してしまったりするのを抑制することができる。
【００３１】
また、被保持部がスロット部から外れてしまうのが抑制されることから、前記従来の情報表示装置のように、パネルに孔部を形成した上で、孔部を突起部に係合させるといった必要がない。これにより、前述のように多様な材料を採用できることと相俟ってパネルを容易に加工することができるとともに、パネルを情報表示装置に容易に取り付けることができる。
【００３２】
また、本発明に係る情報表示装置へのパネルの取付け方法は、前記パネルは、情報表示面部と、前記情報表示面部と同一面状に形成された被保持部と、を備え、前記情報表示装置は、情報を表示する電子表示面を有する装置本体と、前記装置本体に設けられ、前記パネルを着脱自在に保持するパネル保持手段と、を備え、前記パネル保持手段は、前記被保持部が挿入されるスロット部を備え、前記スロット部は、前記電子表示面の径方向に開口しつつ周方向に延設され、前記被保持部は、前記情報表示面部と連結された主面部と、前記主面部との連結部分で折り返されることで前記主面部に折り重ねられた折重ね部と、を備え、前記折重ね部には、前記被保持部が前記スロット部に挿入されたときに、前記スロット部の周縁部に前記径方向に係合する係合部が形成され、前記スロット部に前記被保持部を挿入することにより、前記情報表示装置に前記パネルを取り付けることを特徴とする。
【００３３】
この発明によれば、スロット部に径方向の外側から被保持部を挿入することで、情報表示面部と被保持部との連結部分を屈曲させることなく、情報表示面部を電子表示面と略平行とした状態でパネル保持手段によってパネルを保持することができる。
したがって、情報表示面部と被保持部との連結部分を屈曲させずにパネル保持手段によってパネルを保持することが可能になり、情報表示装置に取り付けられるパネルが変形するのを抑制することができる。
しかも、情報表示面部と被保持部との連結部分を屈曲させる必要がないので、パネルの材料として、屈曲された形状を維持可能な材料だけでなく、例えば紙など多様な材料を採用することができる。
【００３４】
また、スロット部が、径方向に開口しつつ周方向に延設されているので、電子表示面に交差する方向から情報表示面部に加えられる外力を起因として、スロット部に挿入された被保持部が、スロット部内でぐらついてしまったり、スロット部から外れてしまったりするのを抑制することができる。
しかも、折重ね部に、前記係合部が形成されているので、被保持部がスロット部に挿入された状態で、仮に径方向に沿った外力がパネルに加えられた場合であっても、係合部がスロット部の周縁部に係合することで、被保持部がスロット部から外れてしまうのを抑制することができる。
以上より、取り付けられたパネルが情報表示装置に対して相対的に移動してしまったり、情報表示装置から離脱してしまったりするのを抑制することができる。
【００３５】
また、被保持部がスロット部から外れてしまうのが抑制されることから、前記従来の情報表示装置のように、パネルに孔部を形成した上で、孔部を突起部に係合させるといった必要がない。これにより、前述のように多様な材料を採用できることと相俟ってパネルを容易に加工することができるとともに、パネルを情報表示装置に容易に取り付けることができる。
【００３６】
また、前記折重ね部は、前記連結部分で前記周方向に折り返され、前記折重ね部の先端には、前記周方向に延びる切り込み部が形成され、前記係合部は、前記切り込み部の周縁部のうちの前記径方向の外側を向く部分であっても良い。
【００３７】
この場合、係合部が、切り込み部の周縁部のうちの径方向の外側を向く部分であるので、単に折重ね部の先端に前記切り込み部を形成するだけで、係合部を形成することが可能になり、パネルをより容易に加工することができる。
【発明の効果】
【００３８】
本発明によれば、パネルに多様な材料が採用可能であり、取り付けられたパネルが変形、移動して情報表示面部に表示された情報が見づらくなることや、外力によってパネルが離脱してしまうのを抑制することができる。
【図面の簡単な説明】
【００３９】
【図１】本発明の第１実施形態に係る取付け構造体の正面側からの斜視図である。
【図２】図１に示す取付け構造体の背面側からの斜視図である。
【図３】図２に示す取付け構造体における情報表示パネル近傍の拡大斜視図である。
【図４】図１から図３に示す取付け構造体における情報表示パネルの正面図である。
【図５】図４に示す情報表示パネルの展開図である。
【図６】図１から図３に示す取付け構造体の上面図である。
【図７】本発明の第２実施形態に係る取付け構造体における情報表示パネル近傍の拡大斜視図である。
【図８】図７に示す取付け構造体における情報表示パネルの展開図である。
【図９】本発明の第１および第２実施形態に係る取付け構造体の変形例の上面図である。
【図１０】本発明の第１および第２実施形態に係る取付け構造体における情報表示装置の変形例を示す上面図である。
【図１１】本発明の第１および第２実施形態に係る取付け構造体における情報表示装置の変形例を示す上面図である。
【図１２】本発明の第３実施形態に係る取付け構造体の上面図である。
【図１３】図１２に示す取付け構造体における情報表示パネル近傍の拡大斜視図である。
【図１４】本発明の第４実施形態に係る取付け構造体の上面図である。
【図１５】本発明の第４実施形態に係る取付け構造体の変形例の上面図である。
【図１６】本発明の第５実施形態に係る取付け構造体の上面図である。
【図１７】図１６に示す断面矢視Ａ−Ａ図である。
【図１８】図１６に示す断面矢視Ｂ−Ｂ図である。
【図１９】本発明の第６実施形態に係る取付け構造体の上面図である。
【図２０】図１９に示す取付け構造体のスロット部および被保持部の長さを説明するための図である。
【図２１】本発明の第７実施形態に係る取付け構造体の背面側からの斜視図である。
【図２２】図２１に示す取付け構造体の上面図である。
【図２３】本発明の第７実施形態に係る取付け構造体の変形例の上面図である。
【発明を実施するための形態】
【００４０】
（第１実施形態）
以下、図面を参照し、本発明の第１実施形態に係る情報表示パネル（パネル）と情報表示装置との取付け構造体を説明する。
図１および図２に示すように、情報表示パネルと情報表示装置との取付け構造体１（以下、単に取付け構造体１という）は、任意の情報を表示可能な情報表示パネル１０と、この情報表示パネル１０が取り付けられる情報表示装置３０と、を備えている。
【００４１】
（情報表示パネル）
図３から図５に示すように、情報表示パネル１０は、情報表示面部１１と、情報表示面部１１と同一面状に形成された被保持部１２と、を備えており、図５に示すように、これらの情報表示面部１１および被保持部１２が、シート状体（例えば紙など）で一体に形成されてなる。
情報表示面部１１の表面１１ａは、例えば印刷、貼り付け、手書き等の方法により任意の情報が表示可能とされている。また情報表示面部１１は、平面視矩形状をなしている。
【００４２】
図４に示すように、被保持部１２は、情報表示面部１１の辺部のうちの一つである底辺部１１ｂに連結されている。また、被保持部１２は、前記底辺部１１ｂに沿って間隔をあけて２つ配設され、つまり分割形成されている。
被保持部１２は、情報表示面部１１と連結された主面部１３と、主面部１３との連結部分１４ａで折り返されることで主面部１３に折り重ねられた折重ね部１４と、を備えている。
【００４３】
図５に示すように、主面部１３は、平面視矩形状に形成されるとともに一つの辺部が前記底辺部１１ｂに連結されている。
折重ね部１４は、主面部１３との連結部分１４ａで折り返される前の状態において、情報表示面部１１および主面部１３と面一であるとともに、主面部１３から前記底辺部１１ｂに沿った内側に向けて延在している。さらに折重ね部１４は、平面視で主面部１３と同等もしくは主面部１３よりも若干小さく形成されている。
【００４４】
そして、図３に示すように、折重ね部１４は、前記連結部分１４ａで前記底辺部１１ｂに沿った外側に折り返されるとともに、基端から先端に向かうに連れて漸次、主面部１３から離間している。なお図示の例では、折重ね部１４は、情報表示面部１１の裏面１１ｃ側（表面１１ａの反対側）に折り返されている。
また本実施形態では、折重ね部１４の先端には、前記底辺部１１ｂに沿って延びる切り込み部１５が形成されている。
【００４５】
（情報表示装置）
図１および図２に示すように、情報表示装置３０は、情報を表示する電子表示面３１を有する装置本体３２と、装置本体３２に設けられ情報表示パネル１０を着脱自在に保持するパネル保持手段３３と、を備えている。
【００４６】
図１に示すように、装置本体３２は、正面の中央部に開口窓３４ａが形成された平箱状のケース体３４と、表面が前記電子表示面３１とされ、ケース体３４内に収容されるとともに前記開口窓３４ａから電子表示面３１が露出された液晶パネル３５とを備えている。
【００４７】
本実施形態では、電子表示面３１（開口窓３４ａ）およびケース体３４は、平面視矩形状に形成されており、電子表示面３１の輪郭をなす各辺部が、ケース体３４の輪郭をなす各辺部のうち対応するものと平行になるように、電子表示面３１（開口窓３４ａ）が配設されている。
なお以下では、電子表示面３１の中心から電子表示面３１に沿って放射状に延びる方向を径方向（電子表示面の径方向）といい、電子表示面３１の輪郭に沿う方向を周方向（電子表示面の周方向）といい、径方向のうち、ケース体３４において互いに対向する一対の側面３４ｂと平行な方向（図１および図２の上下方向）を上下方向といい、電子表示面３１に直交する方向を前後方向という。
【００４８】
図２に示すように、ケース体３４の背面には、蓋フレーム部３６が突設されている。蓋フレーム部３６は、下方に向けて開口する略Ｕ字状の外側フレーム３７と、下方に向けて開口するとともに外側フレーム３７の内側に配置された略Ｕ字状の内側フレーム３８と、を備えている。
外側フレーム３７と内側フレーム３８とは、互いに間隔をあけて配置されるとともに、それぞれの下端が、上下方向で互いに一致している。
【００４９】
また、ケース体３４の背面において、外側フレーム３７と内側フレーム３８との間に位置する部分には、ケース体３４の内部と外部とを連通する図示しない連通開口が形成されている。そして、外側フレーム３７および内側フレーム３８の間には、前記連通開口の蓋体３９が配設されており、この蓋体３９はケース体３４に対して着脱可能に装着されている。
【００５０】
以上のように構成された装置本体３２は、ケース体３４内に収容された図示しない基板、アンテナおよびバッテリー等により、図示しない端末から発信された情報を受信して、その情報を電子表示面３１に表示できるようになっている。
【００５１】
（パネル保持手段）
図２に示すように、パネル保持手段３３は、被保持部１２が挿入されるスロット部４１と、スロット部４１が形成された複数（図示の例では２つ）の保持部材４２と、を備えている。
保持部材４２は、周方向に互いに間隔をあけて、ケース体３４の背面に突設されている。図示の例では、保持部材４２は、略直方体状に形成されるとともに、外側フレーム３７の外周面において上方（径方向の外側）を向く補助支持面４０よりも上方に突設されている。また、各保持部材４２の上下方向の位置は同等とされ、保持部材４２と補助支持面４０との間には、上下方向に隙間があいている。
【００５２】
図２に示すように、スロット部４１は、上下方向に開口しつつ周方向に延設されており、本実施形態では、周方向に分割形成されるとともに複数の保持部材４２に各別に形成された複数（図示の例では２つ）のスロット分割部４３で構成されている。
図６に示すように、各スロット分割部４３は、上下方向から見て周方向に延びる矩形状をなすように形成されている。
【００５３】
そして図６に示すように、本実施形態では、スロット部４１は、上下方向から見て同一直線から外れた部分を有している。本実施形態では、スロット分割部４３が、前後方向に互いに位置ずれされて形成されている。
なお、両スロット分割部４３の周方向の間隔Ｌ１に対する両スロット分割部４３の前後方向の間隔（ズレ量）Ｌ２の比率は、０．０５以上０．２０以下であることが好ましい。
【００５４】
（情報表示装置への情報表示パネルの取付け方法）
以上のように構成された情報表示装置３０に情報表示パネル１０を取り付ける際には、図２および図３に示すように、スロット分割部４３（スロット部４１）に各別に被保持部１２を挿入する。この際、情報表示パネル１０の情報表示面部１１の表面１１ａが前方を向いた状態で、情報表示面部１１の底辺部１１ｂが保持部材４２の上端面に当接するまで挿入する。なお図示の例では、情報表示面部１１の底辺部１１ｂが保持部材４２の上端面に当接したときに、被保持部１２の下端縁が外側フレーム３７の補助支持面４０に当接するとともに、情報表示面部１１の底辺部１１ｂが周方向に沿って延びるようになっている。
【００５５】
ここで、図１に示すように、スロット部４１が、上下方向に開口しつつ周方向に延設されているので、情報表示面部１１と被保持部１２との連結部分を屈曲させることなく、スロット分割部４３に上側から被保持部１２を挿入することで、情報表示面部１１の表面１１ａを電子表示面３１と略平行とした状態でパネル保持手段３３によって情報表示パネル１０を保持することができる。
【００５６】
しかも、図６に示すように、スロット部４１が、上下方向から見て同一直線から外れた部分を有しているので、スロット分割部４３に被保持部１２を挿入することで、情報表示面部１１が上下方向から見て湾曲形状をなすこととなり、情報表示面部１１において湾曲した部分を上下方向に延びるリブとして作用させることができる。
【００５７】
以上のようにスロット分割部４３に各別に被保持部１２を挿入することで、情報表示装置３０へ情報表示パネル１０が取り付けられ、取付け構造体１が形成される。
ここで図３に示すように、この取付け構造体１では、情報表示パネル１０の被保持部１２の折重ね部１４において、切り込み部１５の周縁部のうちの上側（径方向の外側）を向く部分が、スロット分割部４３（スロット部４１）の周縁部に上下方向に係合する係合部１６となっている。
【００５８】
本実施形態では、折重ね部１４において切り込み部１５よりも上側の上側部分１４ｂは、スロット分割部４３内に位置しており、上側部分１４ｂの先端は、保持部材４２によって後側から支持されている。一方、切り込み部１５よりも下側の下側部分１４ｃは、保持部材４２と外側フレーム３７の補助支持面４０との間に設けられた隙間に位置しており、下側部分１４ｃの先端は、保持部材４２によって支持されない。その結果、前記下側部分１４ｃの先端は、前記上側部分１４ｂの先端よりも後方に位置することとなり、前記係合部１６が、スロット分割部４３の周縁部である保持部材４２の下端面に下側（径方向の内側）から係合する。
【００５９】
以上説明したように、本実施形態に係る情報表示装置３０によれば、情報表示面部１１と被保持部１２との連結部分を屈曲させず、かつ情報表示面部１１を湾曲させることでリブ効果を奏功させた状態で、パネル保持手段３３によって情報表示パネル１０を保持することが可能になり、当該情報表示装置３０に取り付けられる情報表示パネル１０が変形するのを抑制することができる。
しかも、情報表示面部１１と被保持部１２との連結部分を屈曲させる必要がないので、情報表示パネル１０の材料として、屈曲された形状を維持可能な材料だけでなく、例えば紙など多様な材料を採用することができる。
【００６０】
また、スロット部４１が、上下方向に開口しつつ周方向に延設されているので、前後方向から情報表示面部１１に加えられる外力を起因として、スロット分割部４３に挿入された被保持部１２が、スロット分割部４３内でぐらついてしまったり、スロット分割部４３から外れてしまったりするのを抑制することができる。
しかも、折重ね部１４に、前記係合部１６が形成されているので、被保持部１２がスロット分割部４３に挿入された状態で、仮に上下方向に沿った外力が情報表示パネル１０に加えられた場合であっても、係合部１６が保持部材４２の下端面に係合することで、被保持部１２がスロット分割部４３から外れてしまうのを抑制することができる。
したがって、取り付けられた情報表示パネル１０が当該情報表示装置３０に対して相対的に移動してしまったり、当該情報表示装置３０から離脱してしまったりするのを抑制することができる。
【００６１】
以上より、当該情報表示装置３０に取り付けられた情報表示パネル１０が変形、移動して情報表示面部１１に表示された情報が見づらくなることや、外力によって情報表示パネル１０が離脱してしまうのを抑制することができる。
【００６２】
また、被保持部１２がスロット分割部４３から外れてしまうのが抑制されることから、前記従来の情報表示装置のように、情報表示パネル１０に孔部を形成した上で、孔部を突起部に係合させるといった必要がない。これにより、前述のように多様な材料を採用できることと相俟って情報表示パネル１０を容易に加工することができるとともに、情報表示パネル１０を当該情報表示装置３０に容易に取り付けることができる。
【００６３】
さらに、係合部１６が、切り込み部１５の周縁部のうちの上側を向く部分であるので、単に折重ね部１４の先端に前記切り込み部１５を形成するだけで、係合部１６を形成することが可能になり、情報表示パネル１０をより容易に加工することができる。
また、スロット部４１が上下方向に開口しており、前後方向に開口していないので、スロット部４１が情報表示装置３０の正面に露出されることがなく、当該情報表示装置３０のデザインの自由度を向上させることができる。
【００６４】
なお本実施形態では、被保持部１２の折重ね部１４は、主面部１３との連結部分１４ａで折り返される前の状態において、主面部１３から前記底辺部１１ｂに沿った内側に向けて延在し、前記連結部分１４ａで前記底辺部１１ｂに沿った外側に折り返されるものとしたが、これに限られるものではない。例えば、折重ね部１４は、主面部１３との連結部分１４ａで折り返される前の状態において、主面部１３から前記底辺部１１ｂに沿った外側に向けて延在し、前記連結部分１４ａで前記底辺部１１ｂに沿った内側に折り返される構成であっても良い。
【００６５】
（第２実施形態）
次に、本発明の第２実施形態に係る取付け構造体を説明する。
なお、この第２実施形態においては、第１実施形態における構成要素と同一の部分については同一の符号を付し、その説明を省略し、異なる点についてのみ説明する。
図７に示すように、本実施形態に係る取付け構造体１０１の情報表示パネル１１０は、被保持部１１２の折重ね部１１４が、主面部１３内において前記底辺部１１ｂが沿う方向と直交する方向（上下方向）に折り返されている。
【００６６】
図８に示すように、折重ね部１１４は、主面部１３との連結部分１１４ａで折り返される前の状態で、主面部１３において情報表示面部１１の反対側に位置する端部から前記反対側に向けて延在している。そして図７に示すように、折重ね部１１４は、前記連結部分１１４ａで情報表示面部１１側に折り返されている。
【００６７】
また図８に示すように、折重ね部１１４には、平面視略Ｕ字状のＵ型切込み１１７が形成されている。Ｕ型切込み１１７の両切り込み端は、前記連結部分１１４ａ側に位置しており、このＵ型切込み１１７の内側部分が係合部１１８となっている。なお図７に示すように、折重ね部１１４においてＵ型切込み１１７の両周端縁間に位置する部分、つまり折重ね部１１４において係合部１１８と他の部分との連結部分は、係合部１１８の先端が主面部１３から離間するように折り曲げられている。
【００６８】
以上のように構成された情報表示パネル１１０を情報表示装置３０に取り付けるために、スロット分割部４３に被保持部１１２を挿入したときには、係合部１１８の先端がスロット分割部４３の周縁部に上下方向に係合する。
本実施形態では、折重ね部１１４において係合部１１８よりも上側に位置する部分は、スロット分割部４３内に位置しており、保持部材４２に後側から支持されている。一方、係合部１１８は、保持部材４２と外側フレーム３７の補助支持面４０との間に設けられた隙間に位置しており、係合部１１８は、保持部材４２によって支持されない。その結果、係合部１１８の先端は、スロット分割部４３の周縁部である保持部材４２の下端面に下側から係合する。
以上説明したように、本実施形態に係る情報表示装置への情報表示パネルの取付け方法によれば、前記第１実施形態と同様の作用効果を奏することができる。
【００６９】
なお、前記各実施形態では、スロット分割部４３が、前後方向に互いに位置ずれされて形成されているものとしたが、スロット部４１が、上下方向から見て同一直線から外れた部分を有していれば、これに限られるものではない。
例えば、図９および図１０に示す取付け構造体１０１Ａ、１０１Ｂの情報表示装置１３０Ａ、１３０Ｂのように、各スロット分割部４３が、上下方向から見て周方向に傾斜する矩形状をなすように形成されていても良い。図９に示す情報表示装置１３０Ａでは、各スロット分割部４３は、隣接するスロット分割部４３側に向かうに従い漸次、前側に向かっている。また、図１０に示す情報表示装置１３０Ｂでは、各スロット分割部４３は、隣接するスロット分割部４３側に向かうに従い漸次、後側に向かっている。
【００７０】
また、前記各実施形態では、スロット部４１が、２つのスロット分割部４３で構成されているものとしたが、これに限られるものではない。例えば、図１１に示す取付け構造体１０１Ｃの情報表示装置１３０Ｃのように、スロット部４１が、３つのスロット分割部４３で構成されていても良い。さらに、スロット部は、３つ以上のスロット分割部で構成されていても良い。
さらにまた、前記各実施形態では、スロット分割部４３は、複数の保持部材４２に各別に形成されているものとしたが、これに限られるものではない。例えば、１つの保持部材に周方向に間隔をあけて形成されていても良い。
【００７１】
（第３実施形態）
次に、本発明の第３実施形態に係る取付け構造体を説明する。
なお、この第３実施形態においては、第２実施形態における構成要素と同一の部分については同一の符号を付し、その説明を省略し、異なる点についてのみ説明する。
図１２に示すように、本実施形態に係る取付け構造体２０１の情報表示装置２３０のパネル保持手段２３３では、スロット部２４１の各スロット分割部２４３は、隣接するスロット分割部２４３側が開口している。
【００７２】
また図１３に示すように、情報表示パネル２１０の被保持部２１２は、複数に分割形成されておらず、連続形成され一連となっている。つまり、被保持部２１２は、情報表示面部１１に連結された一枚のシート状体で構成されている。また、被保持部２１２の折重ね部２１４には、前記Ｕ型切込み１１７および前記係合部１１８が、情報表示面部１１の底辺部１１ｂ（周方向）に沿って間隔をあけて複数（図示の例では２つ）配設されている。
また本実施形態では、図１３に示すように、被保持部２１２は、前記底辺部１１ｂの全長にわたって延在している。つまり、情報表示パネル２１０は、全体として平面視矩形状の一枚のシート状体で構成されている。
【００７３】
以上のように構成された情報表示装置２３０に情報表示パネル２１０を取り付けるために、スロット分割部２４３に被保持部２１２を挿入する際には、図１３に示すように、被保持部２１２の下端縁が外側フレーム３７の補助支持面４０に当接するまで挿入する。ここで、各スロット分割部２４３において、隣接するスロット分割部２４３側が開口しているので、連続形成した一連の被保持部２１２を、各スロット分割部２４３、および隣接する保持部材４２間の隙間に挿入することができる。
【００７４】
以上説明したように、本実施形態に係る情報表示装置２３０によれば、各スロット分割部２４３において、隣接するスロット分割部２４３側が開口しているので、被保持部２１２を複数に分割形成せずにスロット部２４１に挿入することが可能になり、情報表示パネル２１０の加工をより容易に行うことができる。
【００７５】
（第４実施形態）
次に、本発明の第４実施形態に係る取付け構造体を説明する。
なお、この第４実施形態においては、第３実施形態における構成要素と同一の部分については同一の符号を付し、その説明を省略し、異なる点についてのみ説明する。
図１４に示すように、本実施形態に係る取付け構造体３０１の情報表示装置３３０では、パネル保持手段３３３の保持部材３４２は、周方向に沿って延在して１つ配設されている。
【００７６】
そして図１４に示すように、スロット部３４１は、この保持部材３４２に周方向に連続形成され一連となっている。スロット部３４１は、上下方向から見て、周方向の中央部から周方向の外側に向かうに従い漸次、前側に向かう円弧形状をなしている。
以上説明したように、本実施形態に係る情報表示装置３３０によれば、スロット部３４１が、周方向に連続形成され一連となっているので、被保持部２１２を複数に分割形成せずにスロット部３４１に挿入することが可能になり、情報表示パネル２１０の加工をより容易に行うことができる。
【００７７】
なお、スロット部３４１は、周方向に連続形成され一連となっていれば、本実施形態に示したものに限られない。例えば図１５に示す取付け構造体３０１Ａの情報表示装置３３０Ａのように、スロット部３４１Ａは、上下方向から見て、両周端部が前方を向く略Ｕ字状をなしていても良い。
【００７８】
（第５実施形態）
次に、本発明の第５実施形態に係る取付け構造体を説明する。
なお、この第５実施形態においては、第４実施形態における構成要素と同一の部分については同一の符号を付し、その説明を省略し、異なる点についてのみ説明する。
図１６から図１８に示すように、本実施形態に係る取付け構造体４０１の情報表示装置４３０では、パネル保持手段４３３のスロット部４４１は、上側（径方向の外側）の開口幅が下側（径方向の内側）の開口幅よりも大きくなっている。なお本実施形態では、スロット部４４１の開口幅とは、スロット部４４１の前後方向に沿った大きさを意味する。
【００７９】
図１６に示すように、スロット部４４１は、上側部分４４１ａが、上下方向から見て矩形状をなすとともに、下側部分４４１ｂが、上下方向から見て円弧形状をなしている。図示の例では、スロット部４４１を上下方向から見たときに、下側部分４４１ｂは上側部分４４１ａの内側に位置している。
また、図１７および図１８に示すように、前記上側部分４４１ａと前記下側部分４４１ｂとは、上側から下側に向かうに従い漸次、開口幅が狭くなる中間部分４４１ｃを介して連なっている。
【００８０】
以上説明したように、本実施形態に係る情報表示装置４３０によれば、スロット部４４１において、上側の開口幅が下側の開口幅よりも大きくなっているので、スロット部４４１に上側から被保持部２１２を容易に挿入することが可能になり、情報表示パネル２１０を当該情報表示装置４３０により容易に取り付けることができる。
つまり、例えばスロット部４４１の開口幅が径方向の位置によらず一定の場合には、スロット部４４１の開口幅を全長にわたって、スロット部４４１に被保持部２１２が挿入されたときに情報表示面部１１が所望の湾曲形状をなす程度小さく設定する必要がある。そのため、スロット部４４１の径方向の外側において、開口幅を小さくせざるを得ないことから、被保持部２１２を挿入しにくくなる恐れがある。しかしながら、スロット部４４１において、径方向の外側の開口幅を内側の開口幅よりも大きくすることで、径方向の内側の開口幅を、スロット部４４１に被保持部２１２が挿入されたときに情報表示面部１１が所望の湾曲形状をなす程度小さく設定すれば、径方向の外側の開口幅を、被保持部２１２を挿入し易い程度大きく設定することができる。
【００８１】
（第６実施形態）
次に、本発明の第６実施形態に係る取付け構造体を説明する。
なお、この第６実施形態においては、第１実施形態における構成要素と同一の部分については同一の符号を付し、その説明を省略し、異なる点についてのみ説明する。
図１９に示すように、本実施形態に係る取付け構造体５０１の情報表示装置５３０では、パネル保持手段５３３のスロット部５４１は、全長にわたって同一直線上に位置している。つまり、各スロット分割部５４３は、前後方向で互いに一致している。
【００８２】
そして図２０に示すように、本実施形態では、スロット部５４１の周方向の長さＬ３（以下、スロット部５４１の長さＬ３という）は、被保持部１２の前記底辺部１１ｂに沿った長さＬ４（以下、被保持部１２の長さＬ４という）よりも短く形成されている。なお本実施形態では、スロット部５４１の長さＬ３は、両スロット分割部５４３の周方向外端間の長さを意味し、被保持部１２の長さＬ４は、被保持部１２をスロット分割部５４３に挿入する前の状態で、両被保持部１２の主面部１３において前記底辺部１１ｂに沿う方向の外端間の長さを意味する。
なお、スロット部５４１の長さＬ３に対して、被保持部１２の長さＬ４は、１．０２倍以上１．０５倍以下であることが好ましい。
【００８３】
以上のように構成された情報表示装置５３０に情報表示パネル１０を取り付けるために、スロット分割部５４３に被保持部１２を挿入すると、前述したように情報表示面部１１の底辺部１１ｂが周方向に沿って延びることとなり、その結果、被保持部１２の長さＬ４が、被保持部１２の周方向の長さとなる。
【００８４】
ここで、スロット部５４１の長さＬ３が、被保持部１２の長さＬ４よりも短くなっているので、図１９に示すように、スロット分割部５４３に被保持部１２を挿入することで、情報表示面部１１が上下方向から見て湾曲形状をなすこととなり、情報表示面部１１において湾曲した部分を上下方向に延びるリブとして作用させることができる。
以上説明したように、本実施形態に係る情報表示装置５３０によれば、前記第１実施形態と同様の作用効果を奏することができる。
【００８５】
なお、前記各実施形態では、スロット部４１、２４１、３４１、３４１Ａ、４４１、５４１は、径方向のうちの上下方向に開口しているものとしたが、径方向に開口していればこれに限られるものではない。例えば、径方向のうちの上下方向と直交する方向に開口していても良い。
また、前記各実施形態では、パネル保持手段３３、２３３、３３３、４３３、５３３の保持部材４２、３４２は、装置本体３２に設けられていれば、前記各実施形態に示すものに限られるものではない。例えば、保持部材４２、３４２は、ケース体３４の正面における開口窓３４ａの周縁部に設けられていても良い。
【００８６】
また、前記各実施形態では、パネル保持手段３３、２３３、３３３、４３３、５３３は、保持部材４２、３４２を備えているものとしたが、これに限られるものではない。例えば、スロット部がケース体３４に形成されていても良い。
さらに、前記各実施形態では、情報表示パネル１０、１１０、２１０の被保持部１２、１１２、２１２は、主面部１３、２１３と折重ね部１４、１１４、２１４とを備えるものとしたが、これに限られるものではなく、例えば、折重ね部１４、１１４、２１４はなくても良い。
【００８７】
（第７実施形態）
次に、本発明の第７実施形態に係る取付け構造体を説明する。
なお、この第７実施形態においては、第３実施形態における構成要素と同一の部分については同一の符号を付し、その説明を省略し、異なる点についてのみ説明する。
図２１および図２２に示すように、本実施形態に係る取付け構造体６０１の情報表示装置６３０では、パネル保持手段６３３は、装置本体３２の外面から上下方向（径方向）に立設され、周方向に離間配置された３つの保持柱部６４５を備えている。
【００８８】
保持柱部６４５は、前後方向の位置が互いに一致するとともに周方向に互いに等しい間隔あけた状態で、外側フレーム３７の補助支持面４０に突設されている。
また、図２１に示すように、情報表示パネル６１０の被保持部６１２は、折重ね部２１４がなく、主面部２１３のみで構成されている。
【００８９】
以上のように構成された情報表示装置６３０に情報表示パネル６１０を取り付ける際には、図２１に示すように、隣接する保持柱部６４５間の隙間に上側（径方向の外側）から被保持部６１２を挿入する。
ここで、保持柱部６４５は、上下方向（径方向）に立設されているので、情報表示面部１１と被保持部６１２との連結部分を屈曲させることなく、情報表示面部１１を電子表示面３１と略平行とした状態でパネル保持手段６３３によって情報表示パネル６１０を保持することができる。
【００９０】
しかも、保持柱部６４５が３つ備えられているので、図２２に示すように、隣接する保持柱部６４５において、保持柱部６４５に対する被保持部６１２の位置が前後方向で互い違いになるように情報表示パネル６１０を湾曲させながら挿入することで、情報表示面部１１が上下方向から見て湾曲形状をなすこととなり、情報表示面部１１において湾曲した部分を上下方向に延びるリブとして作用させることができる。
なお図２２に示すように、本実施形態では、３つの保持柱部６４５のうち、中央の保持柱部６４５に対して情報表示パネル６１０が前側に位置し、両端の保持柱部６４５に対して、情報表示パネル６１０が後側に位置するように情報表示パネル６１０が湾曲されている。
【００９１】
以上説明したように、本実施形態に係る情報表示装置６３０によれば、情報表示面部１１と被保持部６１２との連結部分を屈曲させず、かつ情報表示面部１１を湾曲させることでリブ効果を奏功させた状態で、パネル保持手段６３３によって情報表示パネル６１０を保持することが可能になり、当該情報表示装置６３０に取り付けられる情報表示パネル６１０が変形するのを抑制することができる。
しかも、情報表示面部１１と被保持部６１２との連結部分を屈曲させる必要がないので、情報表示パネル６１０の材料として、屈曲された形状を維持可能な材料だけでなく、例えば紙など多様な材料を採用することができる。
【００９２】
また、隣接する保持柱部６４５において、保持柱部６４５に対する被保持部６１２の位置が前後方向で互い違いになるように情報表示パネル６１０を湾曲させながら挿入することで、被保持部６１２を保持柱部６４５に前後方向に係止させることができる。これにより、前後方向から加えられる外力を起因として、情報表示パネル６１０が当該情報表示装置６３０から離脱してしまうのを抑制することができる。したがって、取り付けられた情報表示パネル６１０が当該情報表示装置６３０に対して相対的に移動してしまったり、当該情報表示装置６３０から離脱してしまったりするのを抑制することができる。
【００９３】
以上より、当該情報表示装置６３０に取り付けられた情報表示パネル６１０が変形、移動して情報表示面部１１に表示された情報が見づらくなることや、外力によって情報表示パネル６１０が離脱してしまうのを抑制することができる。
【００９４】
また、被保持部６１２が情報表示装置６３０から外れてしまうのが抑制されることから、前記従来の情報表示装置のように、情報表示パネル６１０に孔部を形成した上で、孔部を突起部に係合させるといった必要がない。これにより、前述のように多様な材料を採用できることと相俟って情報表示パネル６１０を容易に加工することができるとともに、情報表示パネル６１０を当該情報表示装置６３０に容易に取り付けることができる。
【００９５】
なお、本実施形態では、パネル保持手段６３３は、３つの保持柱部６４５を備えているものとしたが、少なくとも３つの保持柱部６４５を備えていれば良く、４つ以上の保持柱部６４５を備えていても良い。例えば、図２３に示す取付け構造体６０１Ａの情報表示装置６３０Ａのように、パネル保持手段６３３は、５つの保持柱部６４５を備えていても良い。
【００９６】
また、本実施形態では、保持柱部６４５は、上下方向に立設されているものとしたが、径方向に立設されていてればこれに限られるものではない。例えば、径方向のうちの上下方向と直交する方向に立設されていても良い。
また、本実施形態では、保持柱部６４５は、前後方向の位置が互いに一致するとともに周方向に互いに等しい間隔あいているものとしたが、前後方向の位置は互いにずらされていても良く、さらに周方向の間隔は互いに異なっていても良い。
【００９７】
なお、本発明の技術的範囲は前記各実施形態に限定されるものではなく、本発明の趣旨を逸脱しない範囲において種々の変更を加えることが可能である。
【００９８】
例えば、前記各実施形態では、１枚の情報表示パネル１０、１１０、２１０、６１０がパネル保持手段３３、２３３、３３３、４３３、５３３、６３３に保持されるものとしたが、これに限られるものではなく、複数枚の情報表示パネル１０、１１０、２１０、６１０を重ねた状態でパネル保持手段３３、２３３、３３３、４３３、５３３、６３３に保持させても良い。
さらに、前記各実施形態では、情報表示面部１１の表面１１ａに情報が表示されるものとしたが、これに限られるものではなく、情報表示面部１１の裏面１１ｃにも情報を表示して、必要に応じて表裏反転させることで表示する情報を選択しても良い。
【００９９】
また、前記各実施形態では、情報表示面部１１は、平面視矩形状をなしているものとしたが、これに限られるものではなく、例えば、平面視円形状など他形状をなしていても良い。
さらに、前記各実施形態では、被保持部２１２、６１２が連続形成されて一連となっている情報表示パネル２１０、６１０は、被保持部２１２、６１２が、前記底辺部１１ｂの全長にわたって延在し、全体として平面視矩形状をなしているものとしたが、これに限られるものではない。例えば、被保持部２１２、６１２が、前記底辺部１１ｂの全長にわたって延在していなくても良い。
【０１００】
また、情報表示パネルとして、情報が表示された情報シート（例えば紙など）を情報表示面部に着脱自在としたクリアフォルダを採用しても良い。この場合、例えば、情報表示面部が、透明な一枚のシート状体が中央部で折り重ねられて構成されたクリアフォルダを採用することで、折り重ねられたシート状体間に前記情報シートを着脱自在に挿入することができる。
【０１０１】
また、前記各実施形態では、電子表示面３１は、液晶パネル３５により構成されるものとしたが、これに限られるものではなく、例えば、液晶とは異なる表示素子を採用したパネルで電子表示面を構成しても良い。
【０１０２】
また本発明は、情報表示装置３０、１３０Ａ、１３０Ｂ、１３０Ｃ、２３０、３３０、３３０Ａ、４３０、５３０、６３０、６３０Ａに、その電子表示面３１で表示する情報を強調、補足等する情報表示パネル１０、１１０、２１０、６１０を取り付ける場合において、広く採用することができる。
例えば、本発明は、小売販売店等で商品の値段や文字情報などを表示したり、倉庫、薬品庫、各種収納庫等での収納用の棚や引出し等における収納物の情報を表示したりする電子棚札（情報表示装置）に、その表示を強調、補足等するために情報表示パネルを取り付ける場合に採用することができる。
また本発明は、棚や引出し等に整理（収納、保管、据え置き）された移動しない対象物の情報ではなく、移動する対象物の情報を表示する情報表示装置に、その表示を強調、補足等するために情報表示パネルを取り付ける場合にも採用することができる。例えば、本発明は、人や動物といった対象物に装着させ、当該対象物の特徴等を表示する情報表示装置に、当該対象物の更なる特徴等を補足的に誇張するために情報表示パネルを取付ける場合にも採用することが可能である
【０１０３】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【０１０４】
１０、１１０、２１０、６１０  情報表示パネル（パネル）
１１  情報表示面部
１２、１１２、２１２、６１２  被保持部
１３、２１３  主面部
１４、１１４、２１４  折重ね部
１４ａ、１１４ａ  連結部分
１５  切り込み部
１６、１１８  係合部
３０、１３０Ａ、１３０Ｂ、１３０Ｃ、２３０、３３０、３３０Ａ、４３０、５３０、６３０、６３０Ａ  情報表示装置
３１  電子表示面
３２  装置本体
３３、２３３、３３３、４３３、５３３、６３３  パネル保持手段
４１、２４１、３４１、３４１Ａ、４４１、５４１  スロット部
４２、３４２  保持部材
４３、２４３、５４３  スロット分割部
６４５  保持柱部
【図１】
2011048288.tif 000003
【図２】
2011048288.tif 000004
【図３】
2011048288.tif 000005
【図４】
2011048288.tif 000006
【図５】
2011048288.tif 000007
【図６】
2011048288.tif 000008
【図７】
2011048288.tif 000009
【図８】
2011048288.tif 000010
【図９】
2011048288.tif 000011
【図１０】
2011048288.tif 000012
【図１１】
2011048288.tif 000013
【図１２】
2011048288.tif 000014
【図１３】
2011048288.tif 000015
【図１４】
2011048288.tif 000016
【図１５】
2011048288.tif 000017
【図１６】
2011048288.tif 000018
【図１７】
2011048288.tif 000019
【図１８】
2011048288.tif 000020
【図１９】
2011048288.tif 000021
【図２０】
2011048288.tif 000022
【図２１】
2011048288.tif 000023
【図２２】
2011048288.tif 000024
【図２３】
2011048288.tif 000025